(57)【要約】      （修正有）【課題】陳列棚等上における商品陳列のために用いられる用具であって陳列棚等上における滑り落ちや傾きが生じにくい商品陳列用具を提供すること。【解決手段】一端２８及び他端３０と、商品が載置される表面３２及び裏面とを有する第１の板部２０と、第１の板部の表面にこれと角度をなして連なる第２の板部２２と、第１の板部の一端と第２の板部との間にあって第１の板部の表面３２から突出する少なくとも１つの突起部２４と、第１の板部の内部にあって端面が第１の板部の裏面に露出しているピン型磁石からなる少なくとも１つの磁石部とを備える。【選択図】図２
0003182009.tif 000002
【実用新案登録請求の範囲】
【請求項１】
一端及び他端と、商品が載置される表面及び該表面に相対する裏面とを有する第１の板部と、
前記第１の板部の表面にこれと角度をなして連なる第２の板部と、
前記第１の板部の一端と前記第２の板部との間にあって前記第１の板部の表面から突出する少なくとも１つの突起部と、
前記第１の板部の内部にあって端面が前記第１の板部の裏面に露出しているピン型磁石からなる少なくとも１つの磁石部とを備える、商品陳列用具。
【請求項２】
前記第２の板部は、前記第１の板部の他端から距離を置いた位置において前記第１の板部の表面に連なり、また、前記磁石部は前記第１の板部の他端と前記第２の板部との間にある、請求項１に記載の商品陳列用具。
【請求項３】
前記磁石部は前記第１の板部の一端と前記第２の板部との間にあって、前記ピン型磁石はその一部が前記第１の板部から前記突起部の内部に伸びている、請求項１に記載の商品陳列用具。
【請求項４】
前記第１の板部及び前記第２の板部はそれぞれ矩形の平面形状を有し、また、同一の幅寸法を有する、請求項１に記載の商品陳列用具。
【考案の詳細な説明】
【技術分野】
【０００１】
本考案は、スーパーマーケットのような店舗に設置される陳列棚や陳列台（以下「陳列棚等」という。）の上に置かれる商品、特に袋や箱に詰められた袋物や箱物と称される商品を立て掛けられた状態で陳列する商品陳列用具に関する。
【背景技術】
【０００２】
このような商品陳列用具として、従来、表裏面を有する第１の板部と、該第１の板部にその表面においてこれと角度をなして連なる第２の板部と、前記第１の板部の表面から突出する複数の突起部と、前記第１の板部に設けられた凹所に受け入れられ一部がその裏面から突出するマグネットシートとを備えるものが知られている（後記非特許文献１参照）。
【０００３】
前記従来の商品陳列用具にあっては、商品を前記第１の板部の表面上に載せて前記第２の板部に立て掛けることができる。前記突起部は、前記第２の板部に立て掛けられた商品の前記第１の板部の表面上における滑り止めの働きをなす。また、前記マグネットシートは、前記陳列棚等がスチールのような磁性材料からなる場合、前記第１の板部を前記陳列棚等に固定する働きをなし、これにより、前記商品陳列用具が前記陳列棚等上の所定の位置に置かれる。
【０００４】
ところで、前記陳列棚等はその表面がわずかに傾斜するように配置されることがあり、また前記陳列棚等の表面上には装飾シートが敷かれる。このような陳列棚等の上に置かれた前記商品陳列具は、そのマグネットシートの働きにより、前記装飾シートの上から前記陳列棚等に固定される。しかし、前記商品陳列用具はこれに立て掛けられた商品の数量、形状等によっては、その固定力に抗して、前記陳列棚等上を前記装飾シートと共に滑り落ちることがある。
【０００５】
また、前記マグネットシートが比較的大きい磁力を有し、このために比較的大きい厚さ寸法を有するときは、前記商品陳列用具の第１の板部からの前記マグネットシートの突出量が比較的大きい。この場合には、前記商品陳列用具は、これに立て掛けられた商品の位置の偏りのために、前記商品陳列用具が前記マグネットシートの固定力に抗して傾き、このために商品の陳列効果が損なわれることがある。前記商品陳列用具に傾きが生じるような事態は、前記商品陳列用具を例えばプラスチックのような非磁性の材料からなる陳列棚等上において、商品の陳列を行う場合においても生じ得る。この場合、前記マグネットシートの固定作用は働かないが、前記商品用陳列具上における商品の載置位置の偏りが前記商品陳列用具の傾きを生じさせる。
【先行技術文献】
【非特許文献】
【０００６】
【非特許文献１】ＫＡＷＡＪＵＮ  プロダクトカタログ  ２００９、カワジュン株式会社、２０１０年９月１日、第３０９頁
【考案の概要】
【考案が解決しようとする課題】
【０００７】
本考案の目的は、陳列棚等上における商品陳列のために用いられる用具であって前記陳列棚等上における滑り落ちや傾きが生じにくい商品陳列用具を提供することにある。
【課題を解決するための手段】
【０００８】
本考案は商品陳列用具に係り、該商品陳列用具は、一端及び他端と、商品が載置される表面及び該表面に相対する裏面とを有する第１の板部と、該第１の板部の表面にこれと角度をなして連なる第２の板部と、前記第１の板部の一端と前記第２の板部との間にあって前記第１の板部の表面から突出する少なくとも１つの突起部と、前記第１の板部の内部にあって端面が前記第１の板部の裏面に露出しているピン型磁石からなる少なくとも１つの磁石部とを備える。
【０００９】
本考案によれば、商品陳列用具が、スチールのような磁性材料からなる陳列棚や陳列台（陳列棚等）上に直接に又はその上に敷かれる装飾シート上に置かれるとき、その磁石部を介して、前記陳列棚等に固定される。商品は、前記陳列用具の第１の板部の表面に載せてその第２の板部に立て掛けることができる。このとき、前記突起部が前記商品の滑り止めの働きをなし、これにより、前記商品の立て掛け状態が維持される。
【００１０】
本考案にあっては、前記磁石部がピン型磁石で構成され、その端面が前記第１の板部の裏面に露出している。このことから、前記ピン型磁石が有する比較的大きい磁力をその端面を通して前記陳列棚等上の一点に集中的に及ぼすことができ、これにより、前記商品陳列用具を、前記陳列棚等に対して直接に又は前記装飾シートの上から間接的に強固に固定することができる。その結果、前記陳列棚等上における前記商品陳列用具の滑り落ちが確実に防止される。また、前記ピン型磁石が前記第１の板部の裏面に露出するに止まり、該裏面から突出していないことから、前記ピン型磁石は、前記陳列棚上において前記商品陳列用具が傾く原因とならない。
【００１１】
前記第２の板部は前記第１の板部の他端から距離を置いた位置において前記第１の板部の表面に連なり、また、前記磁石部は前記第１の板部の他端と前記第２の板部との間にあるように設定することができる。ここにおいて、前記ピン型磁石は、その端面が露出するように、その軸線が前記第１の板部の厚さ方向へ伸びるように配置される。このため、前記第１の板部における前記ピン型磁石の配置箇所は他の箇所よりも厚肉とする必要がある。しかし、前記ピン型磁石の配置箇所は、商品が配置される箇所以外の箇所であり、このことから、厚肉化は商品の陳列の妨げにならない。
【００１２】
前記磁石部は前記第１の板部の一端と前記第２の板部との間にあり、前記ピン型磁石はその一部が前記第１の板部から前記突起部の内部に伸びるように設定することができる。前記突起部は、前記第１の板部を厚肉にした箇所に相当することから、これにより前記第１の板部における商品陳列箇所への前記磁石部の配置を可能とすることができる。
【００１３】
前記第１の板部及び前記第２の板部について、これらがそれぞれ矩形の平面形状を有し、また、同一の幅寸法を有するものとすることができる。
【図面の簡単な説明】
【００１４】
【図１】陳列棚と、該陳列棚の上に置かれた商品陳列用具と、該商品陳列用具に立て掛けられた状態で陳列された複数の商品とを示す概略的な斜視図である。
【図２】図１に示す商品陳列用具の拡大斜視図である。
【図３】図１に示す商品陳列用具の他の視点から見た拡大斜視図である。
【考案を実施するための形態】
【００１５】
図１を参照すると、スーパーマーケットのような店舗に設置される、スチールのような磁性材料からなる商品の陳列棚１０と、該陳列棚の上に敷かれた非磁性の例えばプラスチック製の装飾シート１２と、該装飾シート上に置かれた複数の商品陳列用具１４と、一部の商品陳列用具１４に立て掛けられた状態で陳列された商品１６と、商品陳列用具１４に立て掛けられた商品１６に寄りかかる状態に置かれた他の商品１８とが示されている。
【００１６】
商品陳列用具１４は、必要に応じて、図示の陳列棚１０以外の例えば陳列台（図示せず）上に載置することができる。また、商品陳列用具１４は、プラスチックのような非磁性の材料からなる陳列棚、陳列台等に陳列される商品についても、該商品を立て掛けた状態で陳列するために使用可能である。
【００１７】
陳列棚１０は、これと同様の他の陳列棚と共に、適当な支持手段（図示せず）を介して、上下に間隔を置いて平行に支持される。また、陳列棚１０は、商品の陳列の効果を高めるために、その奥からその手前に向けてわずかに下方へ傾斜するように支持される。
【００１８】
なお、図１に示すところでは、装飾シート１２が商品陳列棚１０から上方の離れた位置にあるが、これは装飾シート１２を明確に表示するための図示の便宜上の措置であり、実際には陳列棚１０に接して該陳列棚を覆う。
【００１９】
図示の商品１６，１８は、袋に詰められたいわゆる袋物からなる。商品陳列用具１４による陳列に供される商品として、図示の前記袋物の他に、例えば箱に詰められたいわゆる箱物（図示せず）や、折れ曲がりにくい性質を有するもの（図示せず）がある。
【００２０】
図２及び図３を参照すると、商品陳列用具１４は、第１の板部２０と、第２の板部２２と、少なくとも１つ（図示の例では複数）の突起部２４と、少なくとも１つ（図示の例では２つ）の磁石部２６とを備える。
【００２１】
第１の板部２０及び第２の板部２２は、図示の例では、いずれも矩形状を呈し、異なる長さ寸法と同一の幅寸法とを有する。
【００２２】
第１の板部２０は一端２８及び他端３０と、商品１６（図１）が載置される表面３２及び該表面に相対する裏面３４とを有する。
【００２３】
第２の板部２２は、その幅を第１の板部２０の幅に揃えた状態で、第１の板部の表面３２にこれと角度をなして連なっている。
【００２４】
第１及び第２の各板部２０，２２の平面形状、大きさ、厚さ等と、前記角度すなわち両板部２０，２２の交差角度とは、陳列される商品の大きさ、形状等と考慮して任意に定めることができる。
【００２５】
第２の板部２２は、第１の板部の一端２８と他端３０との間において、好ましくは両端２８，３０の中央と他端３０との間において、また、第１の板部の他端３０から距離を置いて、第１の板部２０に連なっている。
【００２６】
複数の突起部２４は、第１の板部２０の一端２８と第２の板部２２との間にあって、第１の板部２０の表面３２から突出している。図示の例では、複数の突起部２４がそれぞれ第１の板部２０の幅方向における両側縁の一方から他方へ直線状に、また、互いに平行に伸びている。突起部２４は、直線状に伸びる図示の例に代えて、例えば点状に存するものとすることができる。これらの突起部２４は、突起部２４間に載置され、第２の板部２２に立て掛けられる商品１６の第１の板部２０の表面３２における滑り止めの働きをなす。
【００２７】
各磁石部２６はピン型磁石からなる。前記ピン型磁石は、その軸線が第１の板部２０の厚さ方向に向けられた状態で、第１の板部２０の内部、すなわち第１の板部２０に設けられた円筒状の凹所内に配置されている。第１の板部２０の内部に配置された前記ピン型磁石は、その両端面の一方において第１の板部２０に固着され、他の一方の端面３３において第１の板部２０の裏面３４に露出している。
【００２８】
したがって、前記ピン型磁石は、陳列棚１０に対して直接に又は装飾シート１２の上から間接的に、その有する磁力をその端面３３から一点集中的に及ぼす。このため、商品陳列用具１４は陳列棚１０に強固に固定され、陳列棚１０又は装飾シート１２上に確実に保持される。
【００２９】
また、前記ピン型磁石の端面３３は前記円筒状の凹所の開口面又は該開口面に至る手前に位置し、第１の板部２０からその外部に突出していない。このことから、端面３３が突出しているならばこのことによって招来するであろう商品陳列用具１４の座りの不安定さを排除することができる。
【００３０】
また、両磁石部２６は、図示の例のように、第１の板部２０の他端３０と第２の板部との間に配置し、あるいは、突起部２４が設けられた箇所に配置することができる。
【００３１】
ところで、第１の板部２０における磁石部２６の配置箇所は、前記ピン型磁石の前記した配置の態様上、他の箇所よりも厚肉にする必要がある。前記した第１の板部２０の他端３０と第２の板部との間の箇所３６は商品１６の非配置箇所であり、このため、この箇所３６を厚肉にしても商品１６の配置に支障をきたすことはない。
【００３２】
また、磁石部２６を突起部２４が設けられた箇所に配置するときは、第１の板部２０と突起部２４とを厚肉部として、これらの両部２０，２４に、前記ピン型磁石が配置される前記円筒状の凹所を形成する。形成される円筒状の凹所は突起部２４の内部から第１の板部２０の内部を経て伸び、第１の板部２０の裏面３４で開口する。この例もまた、前記した例と同様、商品１６の配置に支障をきたすことはない。
【００３３】
また、好ましくは、第１の板部２０の一端２８に、突起部２４と平行に伸びる、突起部２４より大きい高さ寸法を有するストッパ３８を設ける。
【００３４】
さらに、立て掛けられる商品１６から外力を受けることとなる第２の板部２２の機械的強度を補強リブ４０で補強することが望ましい。補強リブ４０は、全体に直角三角形の平面形状を有する板部材からなル。この板部材は、第１の板部２０の他端３０と第２の板部２２との間に配置され、前記直角三角形の二辺の一方と斜辺とに相当する部分において第１の板部２０の表面３２と第２の板部とにそれぞれ接合されている。
【符号の説明】
【００３５】
１０  商品の陳列棚
１２  装飾シート
１４  商品陳列用具
１６  商品
２０  第１の板部
２２  第２の板部
２４  突起部
２６  磁石部
２８，３０  第１の板部の一端及び他端
３２，３４  第１の板部の表面及び裏面
３３  ピン型磁石の端面
４０  補強リブ
【図１】
0003182009.tif 000003
【図２】
0003182009.tif 000004
【図３】
0003182009.tif 000005